(57)【要約】【課題】少量ずつ外装ラベルを作製する必要がなく、記録内容の変更も容易であり、外装ラベルの貼着後に、窓部を通して、製造情報を記録することができ、個別に製造情報を記録することができる電池パックを提供する。【解決手段】素電池２１の一側面に保護回路基板３を配してなる電池コアの側面に、矩形の外装枠６が嵌め合わされることで、電池コア２が構成される。製造情報ラベル７は、電池コア２の表面の一端部寄りに貼着される。外装ラベル８には製造情報ラベル７より面積が小さい窓部８ｅが設けられている。外装ラベル８は、前記窓部８ｅの周縁部が製造情報ラベル７の周縁部上に貼着される状態で、前記表面に貼着され、長手方向の両端部が電池コア２の裏面側に折り曲げられて、電池コア２に巻着される。そして、窓部８ｅを通してレーザが照射され、素電池２１の製造情報等の製造情報が製造情報ラベル７に記録される。【選択図】図２
2009158182.tif 000002
【特許請求の範囲】
【請求項１】
直方体状をなす素電池、及び出力端子を有し、前記素電池の一面に配される端子基板を有する電池コアと、
前記電池コアの一部に貼着される外装ラベルと
を備える電池パックにおいて、
前記電池コアの一面に貼着され、製造情報を表示する製造情報ラベルを備え、
前記外装ラベルには、前記製造情報を視認するための窓部が設けられていることを特徴とする電池パック。
【請求項２】
前記製造情報ラベルの面積は前記窓部の面積より大きく、前記窓部の周縁部を、前記製造情報ラベルの周縁部上に貼着してある請求項１に記載の電池パック。
【請求項３】
前記外装ラベルは、合成樹脂製のフィルムの裏面に合成樹脂製の粘着剤を塗布してなる基材層に、ポリプロピレン製のフィルムの裏面に合成樹脂製の粘着剤を塗布してなる保護層を貼り合わせて構成される請求項１又は２に記載の電池パック。
【請求項４】
前記外装ラベルは、それぞれ合成樹脂製のフィルムの裏面に合成樹脂製の粘着剤を塗布してなる基材層、及び保護層を貼り合わせてなり、
前記窓部は、前記基材層に設けられ、
前記保護層を通して前記製造情報を視認可能に構成されている請求項１乃至３のいずれかに記載の電池パック。
【請求項５】
前記製造情報は、熱転写印刷、又は、インクジェット、若しくはレーザ照射によるマーキングにより記録してある請求項１乃至４のいずれかに記載の電池パック。
【発明の詳細な説明】
【技術分野】
【０００１】
本発明は、ビデオカメラ，モバイルコンピュータ，携帯電話機等の主として携帯電子機器の電源として利用される充放電可能な非水電解質二次電池等の二次電池を絶縁性の外装ラベルで覆ってなる電池パックに関する。
【背景技術】
【０００２】
近年、急速に普及しているビデオカメラ，モバイルコンピュータ，携帯電話機等の携帯電子機器の電源としては、充放電可能な直方体状の非水電解質二次電池、例えばリチウムイオン二次電池等が主として用いられている。リチウムイオン二次電池（素電池）は、正極及び負極を、セパレータを介して巻回した電極群、及び非水電解質を、アルミニウム又はアルミニウム合金製であり、直方体状をなすケースに収納して構成される。
【０００３】
前記素電池の一側面に、過充電及び過放電を防止するために電池電圧を制御する保護回路、及び素電池から外部へ電力を取り出し、又は外部から電力を取り込むための出力端子を有する保護回路基板が配されて電池コアが構成される。保護回路基板と素電池との間は接続用のリードにより電気的に接続されている。
前記電池コアの四側面を、絶縁性を有する、例えば合成樹脂製の外装枠で覆い、又は組電池を例えば合成樹脂製の外装ケースに収納する。さらに、この電池コアの両平面と、外装枠又は外装ケースとを外装ラベルで覆うことで電池パックが得られ、この電池パックが携帯電子機器に装着される。
【０００４】
外装ラベルは、通常、電池コアを確実に隠蔽することができ、インクの乗りも良好であるＰＥＴ（ポリエチレンテレフタレート）フィルム製の基材層に、電池パックの定格、注意事項等の不変の内容を印刷用の版に基づいて印刷し、透明度及び柔軟性が高く、基材層への追従性が良好であるＰＰ（ポリプロピレン）のラミネートフィルム製の保護層を貼着し、所定の形状に打ち抜くという工程を、一貫して行うことで製造されている。このような方法で製造される外装ラベルを用いて、シリアル番号等の製造情報を電池パックに表示するための方法として、以下の方法が挙げられる。
【０００５】
（１）固定（不変）内容を印刷する版とは別に内容可変の版を用意して、通常の外装ラベルと同一の工程で外装ラベルを製造し、予め製造情報が印字された外装ラベルを得る。
【０００６】
（２）保護層の材質として、表面に後印刷を施すことができるＰＥＴを選定し、通常の外装ラベルと同一の工程で外装ラベルを製造し、電池パックの組み立て時に、保護層の表面に、印刷により製造情報を記録する。
【０００７】
（３）予め穴加工されたラミネートシートを用いて通常と同一の工程で外装ラベルを製造することにより、部分的にラミネートシート（保護層）が除去された外装ラベルを得、電池パックの組み立て時に、穴（窓部）を通し、外装ラベルの表面に、印刷により製造情報を記録する。
【０００８】
（４）基材層に、定格、注意事項等について記録した後、透明ニスを全面に塗布して記録部等を保護し、ラミネートシートの保護層を設けない外装ラベルを製造する。そして、この外装ラベルの表面に製造情報を後印刷する。
【０００９】
また、特許文献１及び２には、外装ケースの上蓋に窓部を設け、該窓部に製造情報を記録したラベルを挿入し、貼付する発明が開示されている。
【特許文献１】特開２００４−２１４１１５号公報
【特許文献２】特開２００４−２１４１５２号公報
【発明の開示】
【発明が解決しようとする課題】
【００１０】
しかし、上述の方法には、以下のような問題点がある。
（１）の方法は、外装ラベルの製造時に、予め電池パックの製造情報を印字するため、該製造情報が例えばシリアル番号である場合、外装ラベル単体、電池パックの製造時に不良が発生したときに、シリアル番号に欠番ができる。また、前記製造情報が製造ロット識別番号である場合には、識別が必要な製造ロット毎に少量ずつ外装ラベルを用意する必要がある。さらに、急に製造情報の内容を変更する必要が生じた場合、外装ラベルの製造から着手しなくてはならないため、その間、電池パックの製造が滞るという問題がある。
【００１１】
（２）の方法においては、保護層をＰＰ製のラミネートフィルムで構成した場合、印刷用インクの乗りが悪く、剥がれ易いので、後印刷を行うために、インクの乗りが良好であるＰＥＴ製のラミネートフィルムを選定している。しかしながら、ＰＥＴの透明性はＰＰよりも劣るため、ラベルの表示の視認性が全体的に悪くなり、意匠性が損なわれるという問題があった。また、柔軟性もＰＰより劣るため、基材層への追従性が悪く、基材層と保護層とが剥離することがあり、外装ラベルに不良が生じることがあった。
【００１２】
（３）のように、部分的に保護層が除去された外装ラベルを製造する場合、保護層にＰＰ製のラミネート材を使用することができるが、保護層を型抜きする工程を別途設ける必要があり、外装ラベルの製造工程が複雑となり、工数が増えるだけでなく、歩留まりも悪くなり、外装ラベルのコストが上昇する。
【００１３】
（４）の方法によれば、前記（２）及び（３）の問題は生じないが、透明ニスの印刷保護性能はラミネート材からなる保護層と比較すると劣るため、外装ラベルの基材層の記録部の保護に対する信頼性が低下する。
【００１４】
また、特許文献１及び２の発明は、ラベルは電池パックの外装ケースの外側から挿入して、貼付するように構成されているため、ユーザによって剥がされてしまう虞がある。そして、特許文献２の構成によれば、上蓋の窓部とラベルとの間には必ず間隙が必要であり、該間隙を通して電位を持った素電池が露出する虞があるという問題がある。
【００１５】
本発明は斯かる事情に鑑みてなされたものであり、製造情報ラベルを有することにより、製造情報に対応させて、少量ずつ外装ラベルを作製する必要がなく、記録内容の変更も容易であり、個別に製造情報を記録することができる電池パックを提供することを目的とする。
【００１６】
また、本発明は、電池コアの表面に製造情報ラベルを貼付した後に、窓部の周縁部を製造情報ラベルの周縁部上に貼着する状態で、外装ラベルを巻着するように構成することにより、製造情報ラベルが剥がれ難く、絶縁性が良好である電池パックを提供することを目的とする。
【００１７】
そして、本発明は、保護層のフィルムをＰＰ製にすることにより、外装ラベルの透明性、柔軟性、及び外観品位が良好であり、基材層への追従性が良く、保護層の基材層からの剥離が抑制される電池パックを提供することを目的とする。
【００１８】
さらに、本発明は、窓部を基材層のみに設けることにより、製造情報ラベルの記録物が保護層により覆われ、保護信頼性が良好である電池パックを提供することを目的とする。
【００１９】
そして、本発明は、熱転写印刷、又は、インクジェット、若しくはレーザ照射によるマーキングにより製造情報を記録することにより、容易に製造情報を変更して記録することができ、ラベルの貼着工程、及び製造情報の記録工程をインライン化することができる電池パックを提供することを目的とする。
【課題を解決するための手段】
【００２０】
第１発明に係る電池パックは、直方体状をなす素電池、及び出力端子を有し、前記素電池の一面に配される端子基板を有する電池コアと、前記電池コアの一部に貼着される外装ラベルとを備える電池パックにおいて、前記電池コアの一面に貼着され、製造情報を表示する製造情報ラベルを備え、前記外装ラベルには、前記製造情報を視認するための窓部が設けられていることを特徴とする。
【００２１】
ここで、出力端子とは、素電池から外部へ電力を取り出し、又は外部から電力を取り込むための端子をいう。
また、「素電池の一面」、及び「電池コアの一面」の「一面」は、素電池、及び電池コアの平面であっても、側面であってもよい。
本発明においては、製造情報を記録する部分が製造情報ラベルとして、外装ラベルから分離している。よって、電池パックに個別に製造情報を記録することができる。また、前記窓部が外装ラベルを貫通している場合、電池コアに外装ラベルを貼着した後に、窓部を通して、製造情報を記録することができる。
従って、製造情報に対応させて、少量ずつ外装ラベルを作製する必要がない。
また、外装ラベルに後印刷をする場合のように、保護層の材質が制限されることがない。
そして、例えばシリアル番号等の製造情報を記録した製造情報ラベルを各電池パックに対応させて貼着することができるので、外装ラベルにシリアル番号を記録する場合のように、外装ラベル、又は電池パックの製造時に不良が発生したときに、欠番が生じることが抑制される。
さらに、製造情報の内容に変更がある場合においては、製造情報ラベルの記録内容のみを変更すればよく、電池パックの製造を中断することなく、迅速に容易に対応することができる。
【００２２】
第２発明に係る電池パックは、第１発明において、前記製造情報ラベルの面積は前記窓部の面積より大きく、前記窓部の周縁部を、前記製造情報ラベルの周縁部上に貼着してあることを特徴とする。
【００２３】
本発明においては、電池コアの表面に製造情報ラベルを貼付した後に、窓部の周縁部を製造情報ラベルの周縁部上に貼着する状態で、外装ラベルを巻着するので、製造情報ラベルが剥がれ難く、また、外側からユーザによって剥がされるのが抑制されている。
そして、窓部と製造情報ラベルとの間に間隙がなく、電位を有する素電池の表面が露出する虞もない。
【００２４】
第３発明に係る電池パックは、第１又は第２発明において、前記外装ラベルは、合成樹脂製のフィルムの裏面に合成樹脂製の粘着剤を塗布してなる基材層に、ポリプロピレン製のフィルムの裏面に合成樹脂製の粘着剤を塗布してなる保護層を貼り合わせて構成されることを特徴とする。
【００２５】
本発明においては、製造情報を保護層に後印刷する必要がないので、保護層の材料としてＰＰを用いることができる。従って、保護層の透明性が良好になり、電池パックの外観品位も良好になる。そして、保護層の柔軟性が良好であるので、基材層への追従性が良く、基材層からの剥離が抑制される。
【００２６】
第４発明に係る電池パックは、第１乃至第３発明のいずれかにおいて、前記外装ラベルは、それぞれ合成樹脂製のフィルムの裏面に合成樹脂製の粘着剤を塗布してなる基材層、及び保護層を貼り合わせてなり、前記窓部は、前記基材層に設けられ、前記保護層を通して前記製造情報を視認可能に構成されていることを特徴とする。
【００２７】
本発明においては、製造情報の記録部が保護層により保護される。保護層がＰＰ製である場合、製造情報の視認性はさらに良好になる。
そして、基材層に窓部を設ける場合、保護層のみに窓部を設ける場合と異なり、外装ラベルの製造時に容易にインラインで製造することができる。
【００２８】
第５発明に係る電池パックは、第１乃至第４発明のいずれかにおいて、前記製造情報は、熱転写印刷、又は、インクジェット、若しくはレーザ照射によるマーキングにより記録してあることを特徴とする。
【００２９】
ここで、熱転写印刷とは、サーマルヘッドを加熱し、インクリボンに塗布されたインクを被印刷物に熱転写方式により印刷することをいう。
本発明においては、製造情報の変更がある場合に、迅速に容易に対応することができる。
そして、製造情報ラベル、及び外装ラベルの電池コアへの貼着、製造情報ラベルへの記録工程を、インラインで行うことが可能になる。
【発明の効果】
【００３０】
第１発明によれば、製造情報ラベルが外装ラベルから分離しているので、製造情報に対応させて、少量ずつ外装ラベルを作製する必要がなく、外装ラベル、又は電池パックの製造時に不良が発生したときに、欠番が生じることが抑制される。
そして、製造情報の内容に変更がある場合においては、製造情報ラベルの記録内容のみを変更すればよく、電池パックの製造を中断することなく、容易に迅速に対応することができる。
また、窓部が外装ラベルを貫通している場合、電池コアに外装ラベルを貼着した後に、窓部を通して、製造情報を記録することができる。
さらに、電池パックに個別に製造情報を記録することができ、トレーサビリティを確保することもできる。
【００３１】
第２発明によれば、電池コアの表面に製造情報ラベルを貼付した後に、窓部の周縁部を製造情報ラベルの周縁部上に貼着する状態で、外装ラベルを巻着するように構成されているので、製造情報ラベルが剥がれ難く、絶縁性も良好である。
【００３２】
第３発明によれば、透明性が良好であり、電池パックの外観品位も良好になる。そして、柔軟性も良好であり、基材層への追従性が良く、保護層の基材層からの剥離が抑制される。
【００３３】
第４発明によれば、製造情報の保護信頼性が良好である。
【００３４】
第５発明によれば、容易に製造情報を変更して記録することができる。
そして、製造情報ラベル、及び外装ラベルの電池コアへの貼着、製造情報ラベルへの記録工程を、インラインで行うことが可能になる。
【発明を実施するための最良の形態】
【００３５】
以下、本発明をその実施の形態を示す図面に基づき具体的に説明する。
実施の形態１．
図１は、本発明の実施の形態１に係る電池パック１を示す斜視図、図２は、電池パック１を示す分解斜視図、図３は、図１のIII-III 線断面図である。
電池パック１の電池コア２の素電池２１は角型平板状をなし、例えばリチウムイオン二次電池等の非水電解質二次電池であり、正極及び負極をセパレータを介して巻回した電極群、並びに非水電解質を、アルミニウム又はアルミニウム合金製のケースに収納してなる。
【００３６】
素電池２１の一側面には、絶縁板（図示せず）を介して負極端子（図示せず）が設けられており、これと対向する他側面には、リード取付板２１ａが設けられている。負極端子が設けられた部分以外の素電池２１の全体が正極（端子）とされる。
素電池２１の表面には、素電池２１の製造日時、ライン番号等の製造情報がインクジェット、又はレーザマーキングにより記録されている（図示せず）。
【００３７】
素電池２１の負極端子が設けられている前記一側面に隣接する側面には、保護回路基板３が配されている。保護回路基板３は、素電池２１と対向する面に、素電池２１の過充電又は過放電等を防止するための保護回路が実装され、該保護回路を樹脂モールドしてなる保護回路実装部３ａを有する。そして、保護回路基板３の外面側には、外部へ電力を取り出し、また逆に充電のために外部から電力を取り込むための正負極と温度端子である出力端子３ｂ，３ｂ，３ｂが金メッキにより設けられている。
【００３８】
第１リード４により、保護回路基板３の接続端子（図示せず）と前記負極端子とが接続され、第２リード５により、保護回路基板３の他方の接続端子と、リード取付板２１ａを介し素電池２１の前記他側面とが接続されている。
【００３９】
素電池２１の四側面には、例えばポリカーボネート（ＰＣ）製、アクリロニトリルブタジエンスチレン（ＡＢＳ）製等からなり、矩形状を有する外装枠６が嵌め合わされる。外装枠６の一枠辺部には、前記出力端子３ｂ，３ｂ，３ｂを露出させるための窓部６ａ，６ａ，６ａが設けられている。
【００４０】
製造情報ラベル７は、例えばＰＥＴ等の合成樹脂製のフィルムの裏面にアクリル樹脂系粘着剤を塗布してなり、後述するように、電池パック１毎に、素電池２１の前記製造情報等の電池パック１の製造情報が、組み立て時に記録されるように構成されている。
【００４１】
外装ラベル８は、平面視が矩形状をなすラベル本体８ａと、該ラベル本体８ａの一方の長辺の一部から略Ｕ字状に突設された突設部８ｂ，８ｃと、ラベル本体８ａの他方の長辺の一部から略Ｕ字状に突設された突設部８ｄとを有する。
そして、ラベル本体８ａには、面積が前記製造情報ラベル７の面積より小さい窓部８ｅが設けられている。
外装ラベル８は、例えばＰＥＴ等の合成樹脂製のフィルムの裏面にアクリル樹脂系粘着剤を塗布してなる基材層８１と、ＰＰのラミネート材からなるフィルムの裏面にアクリル樹脂系粘着剤を塗布してなる保護層８２とを貼り合わせて構成される（図３参照）。基材層８１は不透明であり、保護層８２は略透明である。基材層８１の表面の一部には、印刷により、電池パック１の定格、注意事項等が記録されている（図示せず）。
前記窓部８ｅは、基材層８１と保護層８２とを貫通するように設けられている。従来技術のように保護層８２のみに窓部を設ける場合と異なり、窓部８ｅは、外装ラベル８の外装ラベル９の製造途上で容易に設けることができ、外装ラベル８はインラインで製造することができる。
【００４２】
製造情報ラベル７は、図３に示すように、電池コア２の表面の一端部寄りに位置決めされて貼着され、ラベル本体８ａは、窓部８ｅの周縁部が、製造情報ラベル７の周縁部上に貼着される状態で、前記表面に貼着される。そして、ラベル本体８ａは、長手方向の両端部が電池コア２の裏面側に折り曲げられ、該両端部が電池コア２の裏面の一端部寄りに重ね合わされる状態で、電池コア２に巻着される。突設部８ｂ，８ｃ，８ｄは電池コア２の裏面側にＬ字状に折り曲げられ、端部が該裏面に貼着された状態で、前記ラベル本体８ａが重ね合わされる。
【００４３】
本実施の形態においては、製造情報ラベル７を電池コア２に貼着する前に、読み取り装置が素電池２１の前記製造情報を読み取り、レーザマーキング装置が前記製造情報を取り込んでいる。そして、製造情報ラベル７を電池コア２の表面に貼着し、外装ラベル８を電池コア２に巻着した後に、レーザマーキング装置が窓部８ｅを通して、前記製造情報を製造情報ラベル７の表面に記録し、記録部７ａが設けられる。この製造情報ラベル７、及び外装ラベル８の電池コア２への貼着、製造情報ラベル７への記録工程は、インラインで行なわれる。
なお、レーザマーキング装置が前記製造情報を製造情報ラベル７の表面に記録した後に、外装ラベル８を電池コア２に巻着することにしてもよい。外装ラベル８の窓部８ｅは貫通した穴であるため、製造情報の製造情報ラベル７への記録は、外装ラベル８の貼付の前後を任意に選択することができる。
【００４４】
また、本実施の形態においては、製造情報ラベル７の表面にレーザを照射し、該表面を焼いて製造情報を記録することにしているが、製造情報ラベル７の表面に予め黒色等の塗膜を形成しておき、レーザを照射して白地の表面を露出させて製造情報を記録することにしてもよい。
そして、製造情報ラベル７への製造情報の記録手段は、レーザマーキングに限定されるものではなく、任意に選択することが可能である。但し、熱転写印刷、又は、インクジェット、若しくはレーザ照射によるマーキングにより記録するのが好ましい。
【００４５】
以上のように、本実施の形態においては、製造情報ラベル７が外装ラベル８から分離しているので、外装ラベル８に製造情報を記録する場合の問題が生じない。
すなわち、製造情報に対応させて、少量ずつ外装ラベル８を作製する必要がなく、外装ラベル８、又は電池パック１の製造時に不良が発生したときに、欠番が生じることがない。
そして、製造情報ラベル７の面積が外装ラベル８の窓部８ｅより大きくなるように設定しているため、電池パック１の完成後に製造情報ラベル７を剥がすことは困難である。
【００４６】
また、製造情報を保護層８２に後印刷する必要がなく、保護層８２の材料としてＰＰのラミネート材を用いているので、保護層８２の透明性が良好になり、電池パック１の外観品位も良好になり、基材層８１への追従性が良く、基材層８１からの剥離が抑制されるとともに、基材層８１の記録部等の保護信頼性が高い。
そして、電池パック１毎に、製造情報が付与されるので、トレーサビリティも確保されている。この場合、素電池２１の表面に記録された製造情報を見るために電池パック１を分解する必要がなく、迅速に対応することができる。
【００４７】
実施の形態２．
図４は、本発明の実施の形態２に係る電池パック１１の外装ラベル９を示す斜視図、図５は、外装ラベル９を電池コア２に巻着した状態を示す、電池パック１１の断面図である。
本実施の形態２に係る電池コア２は、実施の形態１に係る電池コア２と同一の構成を有する。
【００４８】
製造情報ラベル１０は、例えばＰＥＴ等の合成樹脂製のフィルムの裏面にアクリル樹脂系粘着剤を塗布してなり、電池２１の製造日時、ライン番号等の電池パック１１毎の製造情報が、電池パック１１の組み立て時に記録され、記録部１０ａが設けられるように構成されている。
【００４９】
外装ラベル９は、平面視が矩形状をなすラベル本体９ａと、該ラベル本体９ａの一方の長辺の一部から略Ｕ字状に突設された突設部９ｂ，９ｃと、ラベル本体９ａの他方の長辺の一部から略Ｕ字状に突設された突設部９ｄとを有する。
そして、ラベル本体９ａには、面積が前記製造情報ラベル１０の面積より小さい窓部９ｅが設けられている。
外装ラベル９は、例えばＰＥＴ等の合成樹脂製のフィルムの裏面にアクリル樹脂系粘着剤を塗布してなる基材層９１と、ＰＰのラミネート材からなるフィルムの裏面にアクリル樹脂系粘着剤を塗布してなる保護層９２とを貼り合わせて構成される（図５参照）。図５に示されるように、窓部９ｅは、基材層９１のみを貫通するように設けられている。従来技術のように保護層９２のみに窓部を設ける場合と異なり、窓部９ｅは、外装ラベル９の製造途上で容易に設けることができ、外装ラベル９はインラインで製造することができる。
【００５０】
製造情報ラベル１０は、図５に示すように、電池コア２の表面の一端部寄りに位置決めされて貼着され、ラベル本体９ａは、窓部９ｅの周縁部が、製造情報ラベル１０の周縁部上に貼着される状態で、前記表面に貼着される。そして、ラベル本体９ａは、長手方向の両端部が電池コア２の裏面側に折り曲げられ、該両端部が電池コア２の裏面の一端部寄りに重ね合わされる状態で、電池コア２に巻着される。突設部９ｂ，９ｃ，９ｄは電池コア２の裏面側にＬ字状に折り曲げられ、端部が該裏面に貼着された状態で、前記ラベル本体９ａが重ね合わされる。
【００５１】
本実施の形態においては、製造情報ラベル１０を電池コア２に貼着する前に、読み取り装置が素電池２１の前記製造情報を読み取り、レーザマーキング装置が前記製造情報を取り込んでいる。そして、製造情報ラベル１０を電池コア２の表面に貼着した後に、レーザマーキング装置により前記製造情報を製造情報ラベル１０の表面に記録する。その後、窓部９ｅを製造情報ラベル１０に位置あわせし、外装ラベル９を電池コア２に巻着する。この製造情報ラベル１０、及び外装ラベル９の電池コア２への貼着、製造情報ラベル１０への記録工程は、インラインで行なわれる。
なお、製造情報ラベル１０に前記製造情報を記録した後に、該製造情報ラベル１０を電池コア２の表面に貼着することにしてもよい。
また、製造情報ラベル１０への製造情報の記録手段は、レーザマーキングに限定されるものではなく、任意に選択することが可能である。但し、熱転写印刷、又は、インクジェット、若しくはレーザ照射によるマーキングにより記録するのが好ましい。
【００５２】
本実施の形態においては、製造情報ラベル１０が外装ラベル９の保護層９２により覆われているので、製造情報の保護信頼性が良好である。しかも、保護層９２はＰＰ製であるので、透明性が良好であり、製造情報ラベル１０の記録部１０ａは良好に視認される。
【００５３】
なお、本実施の形態１及び２においては、素電池２１の表面に記録された製造情報を読み取り装置が読み取って、レーザマーキング装置により記録する場合につき説明しているがこれに限定されるものではない。読み取り装置を介さずに、前記製造情報の素電池２１への記録を制御する装置から該製造情報を取得することにしてもよい。
また、製造情報はオフラインで、製造情報ラベル７，１０に記録することにしてもよい。
そして、製造情報ラベル７，１０の面積が外装ラベル８，９の窓部８ｅ，９ｅの面積より大きく、製造情報ラベル７，１０の電池コア２への貼付後に、外装ラベル８，９が電池コア２に巻着される場合には限定されない。製造情報ラベル７，１０は、外装ラベル８，９の電池コア２への貼着後に、窓部８ｅ，９ｅから貼付されることにしてもよい。但し、製造情報ラベル７，１０の面積が窓部８ｅ，９ｅの面積より大きく、製造情報ラベル７，１０の電池コア２への貼付後に、外装ラベル８，９を巻着する方が、製造情報ラベル７，１０が剥がれ難く、絶縁性が確保されるので好ましい。
【００５４】
さらに、製造情報ラベル７，１０には素電池２１の製造情報のみでなく、電池パック１，１１の他の製造情報も記録することにしてもよい。製造情報が記録される電池パック１，１１の単位も１個単位でなく、複数単位であってもよい。
本発明においては、製造情報の内容に変更がある場合において、製造情報ラベル７，１０の記録内容のみを変更すればよく、電池パック１，１１の製造を中断することなく、容易に迅速に対応することができる。
そして、外装ラベル８，９の保護層８２，９２のフィルムは、ＰＰのラミネート材には限定されない。但し、ＰＰのラミネート材を用いる方が、保護層８２，９２の透明性が良好になり、電池パック１，１１の外観品位も良好になり、基材層８１，９１への追従性が良く、基材層８１，９１からの剥離が抑制されるとともに、記録部７ａ、１０ａ等の保護信頼性が高いので好ましい。
【００５５】
また、前記実施の形態１及び２においては、電池コア２が矩形状の外装枠６を有する場合につき説明しているがこれに限定されるものではなく、電池コアを箱体状のケースに収納する場合、保護回路基板３を配した素電池２１の側面を樹脂モールドする場合等、他の保護回路基板３を保護する形態が採用され得る。そして、出力端子３ｂ，３ｂ，３ｂを有する基板に保護回路も実装されている場合につき説明しているがこれには限定されない。
さらに、前記実施の形態１及び２においては、素電池２１がリチウムイオン二次電池である場合につき説明しているがこれに限定されるものではなく、ニッケル・水素二次電池、ニッケル・カドミウム二次電池等の他の二次電池であってもよい。
【図面の簡単な説明】
【００５６】
【図１】本発明の実施の形態１に係る電池パックを示す斜視図である。
【図２】本発明の実施の形態１に係る電池パックを示す分解斜視図である。
【図３】図１のIII-III 線断面図である。
【図４】本発明の実施の形態２に係る電池パックの外装ラベルを示す斜視図である。
【図５】外装ラベルを電池コアに巻着した状態を示す、本発明の実施の形態２に係る電池パックの断面図である。
【符号の説明】
【００５７】
１  電池パック
２  電池コア
２１  素電池
２１ａ  リード取付板
３  保護回路基板
３ａ  保護回路実装部
３ｂ  出力端子
４、５  リード
６  外装枠
７、１０  製造情報ラベル
７ａ、１０ａ  記録部
８、９  外装ラベル
８ａ  ラベル本体
８ｂ、８ｃ、８ｄ、９ｂ、９ｃ、９ｄ  突設部
８ｅ、９ｅ  窓部
８１、９１  基材層
８２、９２  保護層
【図１】
2009158182.tif 000003
【図２】
2009158182.tif 000004
【図３】
2009158182.tif 000005
【図４】
2009158182.tif 000006
【図５】
2009158182.tif 000007